(57)【要約】【課題】２重構造の複層ガラスを簡単に取り付けることができ、交換作業を容易に行なえる前扉を提供する。【解決手段】  前扉１は、前カバー１０と複層ガラスユニット８とから構成され、前カバー１０の裏面の周縁部２１に設けられた係合部２２に、複層ガラスユニット８の外側部１５に設けられた固定用突出部２３を係合させて固定する。複層ガラスユニット８を開口９に当接させ、所定角度回転させることによって、係合部２２と固定用突出部２３が脱着可能に係合される。【選択図】        図７
2005279131.tif 000002
【特許請求の範囲】
【請求項１】
遊技盤を透視する開口と、該開口を形成する周縁部と、を有する前カバーと、
枠状に成形されると共に複数のガラス板挿入溝を有するガラス保持部材に表側ガラス及び裏側ガラスを挿入した複層ガラスユニットと、
前記周縁部又は前記ガラス保持部材のいずれか一方に設けられる複数の固定用突出部と、
前記いずれかの他方に設けられた複数の係合部と、を備え、
前記固定用突出部と前記係合部は、前記複層ガラスユニットを回転させることによって脱着可能に係合されることを特徴とする遊技機の前扉。
【請求項２】
前記固定用突出部と前記係合部の前記係合を外れないように固定する押圧部材を設けたことを特徴とする請求項１に記載の遊技機の前扉。
【請求項３】
遊技盤を透視する開口と、該開口を形成する周縁部と、を有する前カバーと、
枠状に成形されると共に複数のガラス板挿入溝を有するガラス保持部材に表側ガラス及び裏側ガラスを挿入した複層ガラスユニットと、
前記周縁部又は前記ガラス保持部材のいずれか一方に設けられた複数の係合部と、
前記いずれかの他方に設けられた複数の被係合部と、
前記複層ガラスユニットに設けられた少なくとも２つの取っ手と、を備え、
前記係合部と前記被係合部は脱着可能に係合されることを特徴とする遊技機の前扉。
【発明の詳細な説明】
【技術分野】
【０００１】
本発明は、パチンコ、スロットルその他の遊技機に備えられた、遊技機本体の前面に配設される前扉に関するものである。
【背景技術】
【０００２】
従来、パチンコ機等の遊技機には、遊技盤を有する遊技機本体の前面に、この遊技盤部分の前面にあたる部分を開口とし、ガラス板等の透明板を取り付けた前扉が、遊技機本体に対して回動自在に配設されている。この透明板は、パチンコ球等の衝撃によってガラス板が破損した場合の遊技者の保護や、磁石等による不正行為の防止のため２重構造の複層ガラスが採用されているものが多くあり、複層ガラスの外周縁にガラス保持部材を有する複層ガラスユニットとして、ベースとなる前カバーの裏側から取り付けられている構成のもの等がある。
これらの前扉の複層ガラスユニットは、パチンコ球等の衝撃によって破損した場合等に交換作業が要求されることも多々ある。また、この前カバーに複層ガラスユニットを固定する方法としては、前カバーの裏面に複層ガラスを保持する溝を設けた保持部材を取り付けて、その溝に合わせて複層ガラスを上方からスライドさせながら垂直に挿入する方法や、複層ガラスユニットの保持部材にビス止め用の取付フランジ等を複数取り付けて、止め金具を介してビス止めする方法などがある（特許文献１参照）。
【特許文献１】特開平９−７１８号公報
【発明の開示】
【発明が解決しようとする課題】
【０００３】
しかしながら、複層ガラスをスライドさせながら垂直に挿入する方法では、長方形等のガラス板の場合は比較的容易な作業となるが、その他の形状、例えば遊技盤の形状に合わせて円形や楕円形等のガラス板を取り付けようとした場合には、取り付けが困難となるおそれがあった。また、止め金具を介してビス止めする方法では、一方の手でガラス板を押さえながら、他方の手でビス等の固定具を止める作業が要求されるので、作業者はガラス板が破損しないように慎重に作業する必要があり、不馴れな作業者にとっては一人で作業をするのが容易なことではなかった。また指紋がついてガラス面が汚れたり、取り付け作業性が悪いという問題がある。
【０００４】
本発明は、上記点に鑑みなされたものであり、２重構造の複層ガラスを簡単に取り付けることができ、交換作業を容易に行なえる前扉を提供することを目的とする。また本発明の別の目的は、指紋の付着を防止し、取り付け作業性を良好にすることを目的とする。
【課題を解決するための手段】
【０００５】
上記目的を達成するため、請求項１に記載の発明は、遊技盤を透視する開口と、該開口を形成する周縁部と、を有する前カバーと、枠状に成形されると共に複数のガラス板挿入溝を有するガラス保持部材に表側ガラス及び裏側ガラスを挿入した複層ガラスユニットと、前記周縁部又は前記ガラス保持部材のいずれか一方に設けられる複数の固定用突出部と、前記いずれかの他方に設けられた複数の係合部と、を備え、前記固定用突出部と前記係合部は、前記複層ガラスユニットを回転させることによって脱着可能に係合されることを特徴とする。
【０００６】
前記固定用突出部をガラス保持部材に設け、前記係合部を周縁部に設けてもよいし、逆に、前記固定用突出部を周縁部に設け、前記係合部をガラス保持部材に設けてもよい。係合部は前記固定用突出部が係合する凹みが形成されることが好ましい。前記固定用突出部と係合部は、テーパ面を備えることが好ましい。また、前記固定用突出部を係合部に圧入することが好ましい。前記係合は摩擦係合によって前記固定用突出部が前記係合部から離脱しないようにすることが好ましい。
【０００７】
請求項２に記載の発明は、前記固定用突出部と前記係合部の前記係合を外れないように固定する押圧部材を設けたことを特徴とする。前記押圧部材は前記周縁部又はガラス保持部材に設けることが好ましい。前記押圧部材は、支点を中心として回動し、前記固定用突出部を係合部に押し付けるストッパであることが好ましい。
【０００８】
請求項３に記載の発明は、遊技盤を透視する開口と、該開口を形成する周縁部と、を有する前カバーと、枠状に成形されると共に複数のガラス板挿入溝を有するガラス保持部材に表側ガラス及び裏側ガラスを挿入した複層ガラスユニットと、前記周縁部又は前記ガラス保持部材のいずれか一方に設けられた複数の係合部と、前記いずれかの他方に設けられた複数の被係合部と、前記複層ガラスユニットに設けられた少なくとも２つの取っ手と、を備え、前記係合部と前記被係合部は脱着可能に係合されることを特徴とする。
【０００９】
前記取っ手は、作業者が複層ガラスユニットを周縁部に取り付ける場合に操作性を向上させるものであり、例えば、環状構造が好ましい。前記係合には、請求項１で規定する係合、請求項２で規定する押圧部材による係合のほか、螺合による係合等も含まれる。
【発明の効果】
【００１０】
請求項１に記載の発明によれば、作業者は複層ガラスユニットを前カバー裏面の開口に合わせて、回転させることによって係合部に固定用突出部が係合され、複層ガラスユニットを固定することができるので、従来のように一方の手でガラスを押さえながら、他方の手で係止部材等を使って係止させる手間を省くことができる。これにより、一人の作業者にて、容易にしかも短時間で内側ガラスの取り付けや交換作業を行なうことができる。
【００１１】
請求項２に記載の発明によれば、押圧部材によって、固定用突出部と係合部の係合を確実に固定できるので、固定用突出部と係合部の係合の度合いがやや弱い状態であっても、その係合を安定させることが可能となる。また、ガラスを取り外す際にも、押圧部材を外すことによって簡単に取り外すことができる。
【００１２】
請求項３に記載の発明によれば、作業者は、複層ガラスユニットを前カバーに取り付ける際に、その取っ手を持って作業をすることができるので、ガラス板部分に触れることなく作業できる。これによって、指紋等が付くことによるガラス等の汚れを防止できるとともに、ガラスの挿入作業、あるいは取り外し作業等が容易になる。
【発明を実施するための最良の形態】
【００１３】
以下、本発明の各実施形態を図面を参照して説明する。
（実施形態１）
本発明を適用する実施形態１のパチンコ遊技機の前扉１は、図１に示す通り、外枠２、操作ハンドル３、上部球供給皿４、下部球受皿５、遊技盤６等から成るパチンコ遊技機７に取り付けられるものである。以下、本実施形態の前扉１について、図２〜図９を参照して説明する。
【００１４】
図２に示す通り、前扉１は、遊技盤６を透視するための開口を有する前カバー１０と、この前カバー１０に取り付けられる略円形のガラス板を含む複層ガラスユニット８とによって構成されている。この前扉１は外枠２の一側端に開閉自在に支持され、パチンコ遊技機７の遊技盤６を含む遊技機本体１１の前面に取り付けられている。
【００１５】
前カバー１０には、中心に円形状の取付開口９が形成されており、この取付開口９には、この取付開口９よりやや大きな直径で形成された円形状の複層ガラスユニット８が前カバー１０の裏面から取り付けられるようになっている。
【００１６】
複層ガラスユニット８は、図３〜図５に示す通り、表側ガラス１２と裏側ガラス１３と、円形の外周部として形成される保持部材１４と、から構成されている。図３に示すように、パチンコ遊技機７の遊技者側に位置するものを表側ガラス１２、パチンコ遊技機７の遊技盤６側に位置するものを裏側ガラス１３とする。この保持部材１４は、表側ガラス１２と裏側ガラス１３とを所定間隔を置いて平行に保持する枠状に形成されている（図５（ａ）参照）。また、保持部材１４には、外部からパチンコ遊技盤６上の遊技領域へ異物が侵入するのを防ぐために設けられた防犯溝１５ａが形成される円環状の外側部１５が形成されている。この外側部１５は保持部材１４の外径方向に突出するとともに表側ガラス１２の外側に形成されている。保持部材１４には、表側ガラス１２と裏側ガラス１３を挿入し固定するための円形のガラス板挿入溝１７，１８が形成されている。
【００１７】
図５（ａ）に示すように、表側ガラス１２と裏側ガラス１３の内側の周縁は、接着用溝１６に注入される接着剤によって接着され、保持部材１４のガラス板挿入溝１７，１８にそれぞれ保持されて、二重ガラス構造となっている。保持部材１４は、外側部１５が断面コ字型をなし、内側部２０が断面横Ｈ型をなしており、これらが一体成形されたものである。
【００１８】
保持部材１４の表側ガラス１２を保持する側の外側部１５には、複数（例えば４個）の外径方向に突出した形状をなす固定用突出部２３が形成されている（図５（ｂ）参照）。この固定用突出部２３の片面にテーパ面２４が形成されている。複層ガラスユニット８を前カバー１０に対して回転して嵌めこむ場合に、このテーパ面２４がその回転方向に対して前傾して形成されている。
一方、図６に示すように、前カバー１０の裏面の開口９を囲むように形成される周縁部２１には係合部２２が設けられて固定用突出部２３と係合可能になっている。この係合部２２は固定用突出部２３と対応した凹み形状とされ、対応するテーパ面を備えている。
この固定用突出部２３と係合部２２との係合によって、前カバー１０に複層ガラスユニット８が固定される。
また前記した防犯溝１５ａには周縁部２１に形成した防犯リブ２５が円環状に嵌め込まれるようになっている。
【００１９】
次に、この複層ガラスユニット８の固定方法について説明する。
図７（ａ）に示す通り、前カバー１０の周縁部２１の裏面に、ガラス保持部材１４の表側ガラス保持面１９（図５参照）を当接させる。このとき、防犯リブ２５を防犯溝１５ａに嵌めこむ。固定用突出部２３が係合部２２と隣接するように合わせる。複層ガラスユニット８を、図７（ａ）の矢印Ａの方向に所定角度回転させる。即ち、周縁部２１表側ガラス保持面１９とが面接触させつつ、複層ガラスユニット８をそのガラス面の中心と直交する回転軸を中心として回転させる。そして固定用突出部２３を係合部２２に係合させる（図７（ｂ）参照）。このようにして、前カバー１０に複層ガラスユニット８が簡単に固定される。また、係合部２２のテーパ面は固定用突出部２３のテーパ面２４に対応する形状となっており、固定用突出部２３を回転させて圧入させることによって、ワンタッチで強固な固定が可能となる。また、矢印Ａと逆の方向に回転させることによって、取り外すことも可能である。
【００２０】
なお、固定用突出部２３は図８（ａ）に示すテーパ面２４を備えた形状のもの以外にも、図６（ｂ）の鋸歯状の面２６を含む固定用突出部２３´や、図６（ｃ）に示す通り水平面２７を含む形状の固定用突出部２３´´を採用することも可能である。固定用突出部２３´´とした場合には、摩擦係数の高い部材同士で密着させるか、あるいは、係合部２２´´（図示略）とのクリアランスを小さくして係合部２２´´に圧入するような構成とする。このような構成とした場合、ゴム等の滑り止め効果のある材質を用いることが好ましい。
【００２１】
実施形態１による効果としては、複層ガラスユニット８の前カバー１０への取り付けに際して、作業者は複層ガラスユニット８を持って所定角度回転させるだけで、係合部２２に固定用突出部２３を固定することができるので、従来のように片方の手で押さえながら、他方の手で係止部材等を止める手間を省くことができる。これにより、一人の作業者にて、容易にしかも短時間で複層ガラスの取り付け、又は、交換作業を行なうことができる。また防犯リブ２５を防犯溝１５ａに嵌めこむことで回転の案内役を果たすことができる。
【００２２】
（実施形態２）
実施形態２のパチンコ遊技機に適用される前扉１０１の構成について図１０〜図１３を参照して説明する。
実施形態２は、実施形態１における係合部２２に挿入された固定用突出部２３部分の固定をより確実なものとするために押圧部材としてストッパ２８を設けたものである。なお、実施形態１に係る図中の符号を１００番台に置き換え、実施形態１と同様の構成部品についてはその説明を援用する。
【００２３】
図１０に示すように、前カバー１１０の取付開口１０９の周縁部１２１の裏面には、係合部１２２とともに、複数個（例えば４個）のストッパ２８が所定間隙で設けられている。このストッパ２８は図１３（ａ）の拡大図に示すように、凸部２９が形成されている。
一方、複層ガラスユニット１０８の固定用突出部１２３には、凹部３０が形成され、ストッパ２８の凸部２９をこの凹部３０に嵌め込むことによって（図１３（ｂ）参照）、係合部１２２と固定用突起部１２３との係合の解除を防止する作用をするものである。
【００２４】
実施形態２において、複層ガラスユニット１０８を取り付ける際には、実施形態１と同様に、前カバー１１０の裏面に、表側ガラス保持面１１９を当接させる（図１１（ａ）参照）。このとき、固定用突出部１２３を係合部１２２と隣接させるように合わせ、図１１（ａ）の矢印Ａの方向に所定角度回転させて固定用突出部１２３を係合部１２２に係合させる。そして、４個のストッパ２８をそれぞれ図１１（ｂ）の矢印Ｂの方向に回転させて、凹部３０と凸部２９を嵌め込んで固定する（図１２参照）。
【００２５】
本実施形態では、ストッパ２８を設けたことによって、複層ガラスユニット１０８の前カバー１１０への固定をさらに強固なものとすることができる。このような構成とした場合は、係合部１２２への固定用突出部１２３の圧入がない場合や、圧入が弱い場合であっても、複層ガラスユニット１０８の固定を安定させることが可能となる。また、取り外す際にも、この凹部３０と凸部２９の嵌め込みを解除することによって、簡単に取り外すことが可能となる。
【００２６】
（実施形態３）
実施形態３のパチンコ遊技機に適用される前扉２０１の構成について図１４を参照して説明する。
図１４に示すように、本実施形態の複層ガラスユニット２０８は、その外周縁である外側部２１５に２個の取っ手３１を設けた構成で、取り付け部材（ここではネジ等の固定具）として係止部３２及び被係止部３３をそれぞれ複層ガラスユニット２０８と前カバー２１０裏面に備えている。取っ手３１は対称的に配置されることが好ましい。
実施形態３では、前カバー２１０の裏面の周縁部２２１に複層ガラスユニット２０８の外周部２１５を合わせて取り付ける際、作業者は、この取っ手３１を持って係止部３２を被係止部３３に取り付けることができる。取り付け方法に関しては、一般的な取り付け構造、例えば、螺子、凹凸結合、摩擦係合等が採用されるものとする。
【００２７】
複層ガラスユニット２０８に取っ手３１を設けたことによって、作業者が取っ手３１をもって複層ガラスユニット２０８を取り付ける際に、複層ガラスユニット２０８のガラス板部分に作業者の手が触れることなく取り付けが可能となるので、指紋等が付くことによってガラス等を汚すことを防止できるとともに、挿入作業あるいは取り出し作業等の交換作業が容易になる。
【００２８】
なお、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。例えば、実施形態３の取っ手３１を実施形態１又は２に追加した構成でもよい。
【図面の簡単な説明】
【００２９】
【図１】本実施形態の前扉が適用されるパチンコ遊技機の正面図である。
【図２】同パチンコ遊技機の斜視図である。
【図３】図２の前扉１のＸ1−Ｘ1断面図である。
【図４】同パチンコ遊技機の複層ガラスユニット８の裏面図である。
【図５】（ａ）は、図４の複層ガラスユニット８のＸ2−Ｘ2断面図、（ｂ）は、同側面図である。
【図６】実施形態１の前カバー１０の裏面に複層ガラスユニット８を取り付ける説明図である。
【図７】（ａ）は、実施形態１の複層ガラスユニット８を前カバー１０の裏面に当接させた状態を示す正面図であり、（ｂ）は、同複層ガラスユニット８を回転して固定した状態を示す正面図である。
【図８】（ａ）は、係合部２２と固定用フランジ２３の係合を示す断面図、（ｂ）は、同係合を示す平面図である。
【図９】（ａ）は、実施形態１の固定用フランジ２３の側面図、（ｂ）（ｃ）は、他の形態の固定用フランジ２３´及び２３´´の側面図である。
【図１０】実施形態２の前カバー１１０の裏面に複層ガラスユニット１０８を取り付ける説明図である。
【図１１】（ａ）は、実施形態２の係合部１２２に複層ガラスユニット１０８を合わせた状態を示す説明図であり、（ｂ）は、同複層ガラスユニット１０８を回転して係合し、ストッパ２８で固定する説明図である。
【図１２】実施形態２の前扉１０１の裏面図である。
【図１３】（ａ）は、実施形態２のストッパ２８が作用する前の状態を示す拡大図であり、（ｂ）は、同ストッパ２８が作用した状態を示す拡大図である。
【図１４】実施形態３の前カバー２１０の裏面に取っ手３１を設けた複層ガラスユニット２０８を取り付ける説明図である。
【符号の説明】
【００３０】
１…前扉    ２…外枠    ６…遊技盤    
７…パチンコ遊技機    ８…複層ガラスユニット    ９…開口    
１０…前カバー    １２…表側ガラス    １３…裏側ガラス    
１４…保持部材    １５…外側部    １６…接着用溝    
１７、１８…ガラス板挿入溝  ２０…内側部  ２１…周縁部    
２２…係合部    ２３…固定用突出部    ２４…テーパ面    
２８…ストッパ（押圧部材）    ２９…凸部    ３０…凹部    
３１…取っ手
【図１】
2005279131.tif 000003
【図２】
2005279131.tif 000004
【図３】
2005279131.tif 000005
【図４】
2005279131.tif 000006
【図５】
2005279131.tif 000007
【図６】
2005279131.tif 000008
【図７】
2005279131.tif 000009
【図８】
2005279131.tif 000010
【図９】
2005279131.tif 000011
【図１０】
2005279131.tif 000012
【図１１】
2005279131.tif 000013
【図１２】
2005279131.tif 000014
【図１３】
2005279131.tif 000015
【図１４】
2005279131.tif 000016